(57)【特許請求の範囲】
【請求項１】
ゲームの結果に応じてゲーム機制御装置(102)からの払出指令信号(DCS)に基づいて指定数のメダルをメダル払出装置(104)から払い出し、払い出したメダルを払出センサ(120)により検知してメダルの払い出し数を計数するためのカウント信号(CS)を出力し、このカウント信号(CS)の計数値が前記指定数になった場合に前記メダル払出装置(104)からの払い出しを停止すると共に、前記払出指令信号(DCS)が出力されてから最初の前記カウント信号(CS)が出力されるまでの初回タイムラグ時間(T1)、前記カウント信号(CS)の信号幅時間(T2)、及び前記払出指令信号(DCS)による指定枚数が2以上である場合の前記カウント信号(CS)間の信号間隔時間(T3)に基づき異常を判別するようにしたメダルゲーム機(100)に接続され、
前記メダル払出装置(104)に対し2以上のメダルの払い出しを指令する擬似払出指令信号(FDS)を所定時間間隔で複数回出力する擬似払出信号出力装置(154)と、
前記擬似払出信号出力装置(154)からの前記擬似払出指令信号(FDS)による前記メダル払出装置(104)からのメダルの払い出しに対応した前記払出センサ(120)から最初のカウント信号(CS)が出力されるまでの初回タイムラグ時間(T1)を前記擬似払出指令信号(FDS)の出力毎に計測する初回タイムラグ計測装置(164)と、
前記擬似払出指令信号(FDS)による前記メダル払出装置(104)からのメダルの払い出しに対応して前記払出センサ(120)から出力されるカウント信号(CS)の信号幅時間(T2)を前記擬似払出指令信号(FDS)の出力毎に計測する信号幅時間計測装置(168)と、
前記擬似払出指令信号(FDS)による前記メダル払出装置(104)からのメダルの払い出しに対応して前記払出センサ(120)から出力されるカウント信号(CS)間の信号間隔時間(T3)を前記擬似払出指令信号(FDS)の出力毎に計測する信号間隔時間計測装置(174)と、
前記初回タイムラグ計測装置(164)によって計測された初回タイムラグ時間(T1)に基づき設定された仮想初回タイムラグ時間(T11)、前記信号幅時間計測装置(168)によって計測された信号幅時間(T2)に基づき設定された仮想信号幅時間(T12)及び前記信号間隔時間計測装置(174)によって計測された信号間隔時間(T3)に基づき設定された仮想信号間隔時間(T13)に基づいて仮想カウント信号(VCS)を出力する仮想カウント信号出力装置(134)と、を備え、
前記メダルゲーム機(100)に設けられた切替スイッチ(124)によって前記メダル払出装置(104)および前記仮想カウント信号出力装置(134)のいずれか一方が選択的に使用され、
前記切替スイッチ(124)によって前記仮想カウント信号出力装置(134)の使用が選択された場合には、前記ゲーム機制御装置(102)からの払出指令信号(DCS)に対応して前記仮想カウント信号出力装置(134)から前記仮想カウント信号(VCS)が前記ゲーム機制御装置(102)へ出力されることにより前記メダルゲーム機(100)のメダルの払い出しを仮想化すると共に、前記ゲーム機制御装置(102)が前記仮想初回タイムラグ時間(T11)、前記仮想信号幅時間(T12)及び前記仮想信号間隔時間(T13)に基づき異常を判別することを特徴とするメダルゲーム機のための支援装置。
【発明の詳細な説明】
【技術分野】
【０００１】
本発明は、ゲームの結果に応じてゲーム機制御装置からのメダル払出信号に基づいて指定された数のメダルをメダル払出装置から払い出すメダルゲーム機の支援装置に関する。
詳しくは、メダル払出装置を内蔵するゲーム機を、メダルに代えてメダルポイントを付与するメダルレスゲーム機に改造するための支援装置に関する。
さらに詳しくは、ゲーム機制御装置からのメダル払出指示信号に基づいて、それまで使用していたメダル払出装置と同一のタイミングでメダルに代えて仮想メダルとしてのパルス信号を出力することができるようにしたメダルゲーム機のための支援装置に関する。
なお、本明細書で使用する「メダル」は、通貨であるコインの他、ゲーム機のメダルやトークン等の代用貨幣または類似のものを包含する。
【背景技術】
【０００２】
第１の従来技術として、メダルゲーム機においてゲームに入賞した場合、メダル払出装置から所定数のメダルを遊技者に払い出すメダルゲーム機が知られている。
この際、メダル払出装置においては払い出したメダルを直接的又は間接的に検知し、メダルのカウント信号を出力し、所定数のカウント信号が出力されたことを判別し、メダルの払出を停止する。（例えば、特許文献１参照)。
第２の従来技術として、入賞の種類に応じて所定数のメダルをメダル払出装置からメダル払出口に払い出すスロットマシーンが知られている（例えば、特許文献2参照)。
第3の従来技術として、ゲームで獲得した賞金を現金と等価のクーポン等を印刷して払い出すことが知られている。
【０００３】
【特許文献１】実開平05-65388(図１〜図2、段落番号0008〜0011)
【特許文献２】特開2001-327659(図1〜図6、段落番号0004〜0051)
【特許文献３】特開平11-253609(図１〜図5、段落番号0009-0037)
【０００４】
第1及び第２の従来技術におけるメダルゲーム機等は、ゲームの結果として入賞した場合、メダル等が払い出されるため、興趣に富んでいる。
しかしながら、メダルを用いることによる弊害、例えばメダルに付着した脂分を含む汚れによって手が汚れること、及び大量メダルの場合重く、かつ嵩張るため運搬が不便であること等の問題点が指摘されている。
第3の従来技術においては、獲得したメダルに相当する価値を印刷した紙片を払い出すので手が汚れ、及び運搬時の不都合はない。
しかし、印刷紙片の場合、再びゲームする際には再度当該印刷された価値に基づいてメダルを借り受けねばならず、煩わしいという問題がある。
【０００５】
そこで、メダル数に相当する価値を電気的に演算・記憶処理し、ICカード(カード型電気的記憶媒体)又はICコイン(コイン型電気的記憶媒体)等の電気的記憶媒体に記憶させることにより、前記問題を解消することが考えられる。
例えば、コイン型の記憶媒体(ICコイン)に価値情報を記憶すると共にゲームの結果獲得したメダル(以下「仮想メダル」という)数を記憶し、当該記憶された価値情報及び仮想メダル数に基づいてゲームを可能とするゲーム機である。
【０００６】
ところで、当初から仮想メダルに適応したゲーム機であれば何ら問題なくこの新しいシステムを採用できる。
しかしながら、従来のメダルゲーム機を仮想メダル仕様に改造する場合、容易に改造できない問題がある。
この問題を図10〜図12を参照して説明する。
メダルゲーム機10に内蔵される一般的なメダル払出装置12は、図11に示すように、バラ積み状態で多数のメダルMが縦向き筒形の保留ボウル14に保留されている。
保留ボウル14の円形底孔に位置する孔16付き回転ディスク18はゲーム機制御装置22からの払出指令信号DCSを受けた払出制御装置24からの指令によって起動されるモータ26によって回転される。
メダルMは回転ディスク18の回転によって１つずつ孔16に落下して区分けされた後、１つずつ送り出される。
払い出されるメダルMは払出センサ28に直接又は間接に検知され、払出センサ28はパルス状のカウント信号CSを出力する。
払出制御装置24は、このカウント信号CSをカウントし、払出指示数になった場合、モータ26を停止して払出を終了する。
メダル払出装置12は、メダルゲーム機の種類によって高速度でメダルを払い出す場合、ゆっくりと払い出す場合等によってその払出センサ28から出力されるカウント信号CSの、払出指令信号DCSが出力されて後最初のカウント信号CSが出力されるまでの初回タイムラグ時間t1、カウント信号CSの信号幅時間t2及びカウント信号CSの信号間隔時間t3等が異なる。
また、同一仕様に基づくメダル払出装置12であっても、製造メーカによって初回タイムラグ時間t1、信号幅時間t2及び信号間隔時間t3が異なる。
【０００７】
例えば図12に示すように、メダル払出装置Ａの場合、払出指令信号DCSが出力された後、最初のカウント信号CS1が出力されるまでt11の初回タイムラグ時間があり、カウント信号CS1、CS2の信号幅時間はt12、カウント信号CS1とCS2の信号間隔時間はt13の時間間隔がある。
また、現実にはカウント信号CS1とCS2・・・の信号幅時間t12も僅かであるが異なっている。
メダル払出装置Bの場合、払出指令信号DCSが出力された後、最初のカウント信号CS1が出力されるまでt21の初回タイムラグ時間があり、信号幅時間はt22、カウント信号CS1とCS2の時間間隔はt23の時間間隔がある、
また、カウント信号S21、S22、S23の信号幅時間t22も異なる。
さらにメダル払出措置Cの場合、払出指令信号DCSが出力された後、最初のカウント信号CS1が出力されるまでt31の初回タイムラグ時間があり、信号幅時間はt32、カウント信号CS1とCS2の間隔はt33の時間間隔がある、
また、カウント信号CS1、CS2、CS3の信号幅時間t22も異なる。
【０００８】
一方、ゲーム機制御装置22においては、払出指令信号DCSの出力から初回カウント信号の有無、カウント信号CSの信号幅時間及びカウント信号出力時間間隔等に基づいてメダル払出装置12が正常に動作しているか、及び不正操作が行われていないか等のチェックをソフトウエアによって行っている。
例えば、払出指令信号DCSが出力された後、所定時間T4内に最初のカウント信号CS1が出力されない場合、メダル払出装置12が起動していないと判別する。
図12に示す例において、メダル払出装置Bにおいては正常と判別されるが、メダル払出装置A及びCにおいては異常と判断され、ゲーム機制御装置22は異常状態としてゲーム機の作動を停止する。
信号幅時間t2及び信号間の信号間隔時間t3についても同様である。
これらを解消するには、各メダルゲーム機の異常判別ソフトウエアを変更する必要があるが、設置場所が全国に及び、かつ、ゲーム機毎に変更せねばならず、極めて大きな労力を要し、現実的ではない。
そこで、従来のメダルゲーム機を仮想メダル仕様に容易に改造できるようにしたのが本発明に係るメダルゲーム機のための支援装置である。
【０００９】
本発明の第1の目的は、メダルゲーム機を仮想メダルゲーム機に容易に改造できる支援装置を提供することである。
本発明の第2の目的は、メダルゲーム機を仮想メダルゲーム機に個々のメダルゲーム機の状況に応じて容易に改造できる支援装置を安価に提供することである。
【発明の開示】
【課題を解決するための手段】
【００１０】
この目的を達成するため本発明のメダルゲーム機の支援装置は、以下のように構成されている。
ゲームの結果に応じてゲーム機制御装置からの払出指令信号に基づいて指定数のメダルをメダル払出装置から払い出し、払い出したメダルを払出センサにより検知してメダルの払い出し数を計数するためのカウント信号を出力し、このカウント信号の計数値が前記指定数になった場合に前記メダル払出装置からの払い出しを停止すると共に、前記払出指令信号が出力されてから最初の前記カウント信号が出力されるまでの初回タイムラグ時間、前記カウント信号の信号幅時間、及び前記払出指令信号による指定枚数が2以上である場合の前記カウント信号間の信号間隔時間に基づき異常を判別するようにしたメダルゲーム機に接続され、前記メダル払出装置に対し2以上のメダルの払い出しを指令する擬似払出指令信号を所定時間間隔で複数回出力する擬似払出信号出力装置と、前記擬似払出信号出力装置からの前記擬似払出指令信号による前記メダル払出装置からのメダルの払い出しに対応した前記払出センサから最初のカウント信号が出力されるまでの初回タイムラグ時間を前記擬似払出指令信号の出力毎に計測する初回タイムラグ計測装置と、前記擬似払出指令信号による前記メダル払出装置からのメダルの払い出しに対応して前記払出センサから出力されるカウント信号の信号幅時間を前記擬似払出指令信号の出力毎に計測する信号幅時間計測装置と、前記擬似払出指令信号による前記メダル払出装置からのメダルの払い出しに対応して前記払出センサから出力されるカウント信号間の信号間隔時間を前記擬似払出指令信号の出力毎に計測する信号間隔時間計測装置と、前記初回タイムラグ計測装置によって計測された初回タイムラグ時間に基づき設定された仮想初回タイムラグ時間、前記信号幅時間計測装置によって計測された信号幅時間に基づき設定された仮想信号幅時間及び前記信号間隔時間計測装置によって計測された信号間隔時間に基づき設定された仮想信号間隔時間に基づいて仮想カウント信号を出力する仮想カウント信号出力装置と、を備え、前記メダルゲーム機に設けられた切替スイッチによって前記メダル払出装置および前記仮想カウント信号出力装置のいずれか一方が選択的に使用され、前記切替スイッチによって前記仮想カウント信号出力装置の使用が選択された場合には、前記ゲーム機制御装置からの払出指令信号に対応して前記仮想カウント信号出力装置から前記仮想カウント信号が前記ゲーム機制御装置へ出力されることにより前記メダルゲーム機のメダルの払い出しを仮想化すると共に、前記ゲーム機制御装置が前記仮想初回タイムラグ時間、前記仮想信号幅時間及び前記仮想信号間隔時間に基づき異常を判別することを特徴とするメダルゲーム機のための支援装置である。
【００１１】
本発明の好ましい実施態様のメダルゲーム機の支援装置は、ゲームの結果に応じてゲーム機制御装置からの払出指令信号に基づいて指定数のメダルをメダル払出装置から払い出し、払出したメダルを払出センサにより検知してメダルの払い出し数を計数するためのカウント信号を出力し、このカウント信号の計数値が前記指定数になった場合前記メダル払出装置からの払い出しを停止すようにしたメダルゲーム機におけるメダルの払い出しを仮想化するための支援装置であって、前記メダル払出装置に対し2以上のメダルの払い出しを指令する擬似払出指令信号を所定時間間隔で複数回出力する擬似払出信号出力装置と、前記擬似払出信号出力装置からの前記擬似払出指令信号に対応して前記払出センサから最初のカウント信号が出力されるまでの初回タイムラグ時間を前記擬似払出指令信号の出力毎に計測する初回タイムラグ計測装置と、前記擬似払出指令信号に対応して前記払出センサから出力されるカウント信号の信号幅時間を前記擬似払出指令信号の出力毎に計測する信号幅時間計測装置と、前記擬似払出指令信号に対応して前記払出センサから出力されるカウント信号間の信号間隔時間を前記擬似払出指令信号の出力毎に計測する信号間隔時間計測装置と、前記擬似払出指令信号の出力毎に計測された前記初回タイムラグ時間、前記検知信号幅時間及び前記信号間隔時間の各平均値を仮想初回タイムラグ時間、仮想信号幅時間及び仮想信号間隔時間として設定する仮想カウント信号設定装置と、前記仮想カウント信号設定装置により設定された仮想初回タイムラグ時間、仮想信号幅時間及び仮想信号間隔時間に基づいて仮想カウント信号を出力する仮想カウント信号出力装置と、を備え、メダルの払い出しを仮想化する際には、前記ゲーム機制御装置からの払出指令信号に対応して前記仮想カウント信号出力装置から前記仮想カウント信号が前記ゲーム機制御装置へ出力されることを特徴とするメダルゲーム機のための支援装置である。
【発明の効果】
【００１２】
本発明のメダルゲーム機の支援装置の構成によれば、改造前のゲーム機制御装置とメダル払出装置の払出制御装置に支援装置を接続する。
支援装置の擬似払出信号出力装置から所定数の擬似払出指令信号がメダル払出装置に出力される。
これによりメダル払出装置は所定数のメダルの払出を開始する。
一方、初回タイムラグ時間計測装置は擬似払出指令信号の出力から最初のカウント信号が出力されまでの初回タイムラグ時間を計測する。
また信号幅時間計測装置は、カウント信号の信号幅時間を計測する。
さらに信号間隔時間計測装置は、カウント信号とカウント信号との間の信号間隔時間を計測する。
したがって、一回の擬似払出指令信号によって、１つの初回タイムラグ時間、所定数のカウント信号の信号幅時間及び所定数のカウント信号間の信号間隔時間が測定される。
この処理が設定された擬似払出指令信号の出力回数分行われる。
結果として、擬似払出指令信号の出力回数分の初回タイムラグ時間、擬似払出信号の出力回数に一回当たりのメダル払出数を乗じた数の信号幅時間、及び擬似払出信号の出力回数に一回当たりのメダル払出数を乗じた数のウント信号間の信号間隔時間が得られる。
これらの初回タイムラグ時間、信号幅時間及び信号間隔時間は平均値を演算する仮想カウント信号設定装置によってそれぞれの平均時間を一体化された演算装置において、又は手作業で自動的に演算できる。
この演算した初回タイムラグ時間、信号幅時間及び信号間隔時間の平均値は仮想初回タイムラグ記憶装置、仮想信号幅時間記憶装置及び仮想信号間隔時間記憶装置にそれぞれ記憶される。
仮想カウント信号出力装置は、ゲーム機制御装置からメダル払出指令信号を受けた場合、記憶された仮想初回タイムラグ時間、仮想信号幅時間及び仮想信号間隔時間に基づいて仮想カウント信号を出力する。
したがって、ゲーム機のゲーム機制御装置におけるメダル払出装置の動作チェックソフトはこの仮想カウント信号に基づいて動作を判定する。
当然のことながら、当該動作チェックソフトは正常払出を判定し、ゲーム機は正常に動作する。
したがって、本支援装置はメダルゲーム機のメダル払出装置を仮想メダル払出装置に改造した場合であっても、あたかも従前に使用していたメダル払出装置が装着されているようにカウント信号のチェックをすることができるので、ゲーム機側のソフトウエアを何ら修正することなくゲーム機を正常に動作できる利点がある。
【００１３】
本発明の好ましい実施態様の構成によれば、初回タイムラグ時間、信号幅時間及び信号間隔時間は平均値を演算する仮想カウント信号設定装置によってそれぞれの平均時間が自動的に演算できる。
演算された初回タイムラグ時間、信号幅時間及び信号間隔時間の平均値は仮想初回タイムラグ時間、仮想信号幅時間及び仮想信号間隔時間として記憶装置に記憶される。
仮想カウント信号出力装置は、ゲーム機制御装置からメダル払出信号を受けた場合、記憶された仮想初回タイムラグ時間、仮想信号幅時間及び仮想信号間隔時間に基づいて仮想カウント信号を出力する。
したがって、ゲーム機におけるメダル払出装置の動作チェックソフトはこの仮想カウント信号に基づいて動作を判定する。
当然のことながら、当該動作チェックソフトは正常払出を判定し、ゲーム機は正常に動作する。
したがって、本支援装置はメダル払出装置を仮想メダル払出に改造した場合、ゲーム機側のソフトウエアを何ら修正することなくゲーム機を正常に動作できる利点がある。
さらに本支援装置は、自動的に仮想初回タイムラグ時間、仮想信号幅時間及び仮想信号間隔時間が演算・記憶されるので更に容易に改造できる利点がある。
【発明を実施するための最良の形態】
【００１４】
ゲームの結果に応じてゲーム機制御装置からの払出指令信号に基づいて指定数のメダルをメダル払出装置から払い出し、払出したメダルを払出センサにより検知してメダルの払い出し数を計数するためのカウント信号を出力し、このカウント信号の計数値が前記指定数になった場合前記メダル払出装置からの払い出しを停止すようにしたメダルゲーム機におけるメダルの払い出しを仮想化するための支援装置であって、前記メダル払出装置に対し2以上のメダルの払い出しを指令する擬似払出指令信号を所定時間間隔で複数回出力する擬似払出信号出力装置と、前記擬似払出信号出力装置からの前記擬似払出指令信号に対応して前記払出センサから最初のカウント信号が出力されるまでの初回タイムラグ時間を前記擬似払出指令信号の出力毎に計測する初回タイムラグ計測装置と、前記擬似払出指令信号に対応して前記払出センサから出力されるカウント信号の信号幅時間を前記擬似払出指令信号の出力毎に計測する信号幅時間計測装置と、前記擬似払出指令信号に対応して前記払出センサから出力されるカウント信号間の信号間隔時間を前記擬似払出指令信号の出力毎に計測する信号間隔時間計測装置と、前記擬似払出指令信号の出力毎に計測された前記初回タイムラグ時間、前記検知信号幅時間及び前記信号間隔時間の各平均値を仮想初回タイムラグ時間、仮想信号幅時間及び仮想信号間隔時間として設定する仮想カウント信号設定装置と、前記仮想カウント信号設定装置により設定された仮想初回タイムラグ時間、仮想信号幅時間及び仮想信号間隔時間に基づいて仮想カウント信号を出力する仮想カウント信号出力装置と、を備え、メダルの払い出しを仮想化する際には、前記ゲーム機制御装置からの払出指令信号に対応して前記仮想カウント信号出力装置から前記仮想カウント信号が前記ゲーム機制御装置へ出力されることを特徴とするメダルゲーム機のための支援装置である。
【実施例】
【００１５】
以下本発明にかかる実施例を説明する。
メダルゲーム機100は、大まかにはゲーム機制御装置102並びにメダル払出装置104及び付属機器が設置され、メダル払出装置104から払い出されたメダルはメダル受取口106に払い出される。
【００１６】
まずゲーム機制御装置102を説明する。
ゲーム機制御装置102は、メダルゲーム機100を構成する所定の装置から信号を受け、所定のプログラムに基づいて所定の装置を稼働させる。
特に、ゲームの結果に基づいてメダル払出装置104に所定数のメダル払出指令信号DCSを出力する。
【００１７】
次にメダル払出装置104を説明する。
メダル払出装置104は、バラ積み状態で保留したメダルを１つずつ区分けして弾き出す機能を有する。
メダル払出装置104は、大まかには払出制御装置108、保留ボウル110、モータ112、回転ディスク114、ベース116、弾出装置118及び払出センサ120を含んでいる。
【００１８】
メダル払出指令信号DCSを受信した払出制御装置108は、モータ112を起動し、回転ディスク114を所定の速度で保留ボウル110の底孔で回転させる。
回転ディスク114の回転によって保留ボウル110内にバラ積みされたメダルMが回転ディスク114の通孔115に落下し、１つずつ区分けされる。
区分けされたメダルＭは、弾出装置118によってベース116に沿って弾き出され、メダルゲーム機100のメダル受取口106に払い出される。
【００１９】
払出センサ120は、弾き出されたメダルMを直接的に検知し、パルス状のカウント信号CSを出力する。
払出制御装置108は、カウント信号CSを計数し、払出指示数になった場合、モータ112を停止する。
また、カウント信号CSはゲーム機制御装置102にも出力される。
【００２０】
ゲーム機制御装置102においては、メダル払出指令信号DCSが出力されてから最初のカウント信号CSが出力されるまでの初回タイムラグ時間T1(t1に相当)、カウント信号CSの信号幅時間T2(t2に相当)、カウント信号CSの間の信号間隔時間T3(t3に相当)をチェックし、所定の時間幅内に有るか否かを判別している。
これらの時間T1、T2、T3の何れかが異常範囲である場合、ゲーム機制御装置102はエラー信号を出力し、メダルゲーム機100の稼働を停止する。
【００２１】
本発明に係るメダルゲーム機100のゲーム機制御装置102と払出制御装置108には、支援装置122が接続可能である。
支援装置122は後で詳述する。
メダルゲーム機100は、さらに切替スイッチ124及びリーダーライター126を含んでいる。
【００２２】
次に切替スイッチ124を説明する。
切替スイッチ124は、メダル払出装置104を使用するか、仮想カウント信号出力装置134を使用するか選択する機能を有する。
切替スイッチ124によってメダル払出装置104を選択した場合、メダル払出装置104の払出センサ120からのカウント信号CSが前述のようにゲーム機制御装置102においてチェックされる。
仮想カウント信号出力装置134が選択された場合、仮想払出信号記憶装置132に記憶された仮想初回タイムラグ時間T11(t1に相当)、仮想信号幅時間T12(t2に相当)及び仮想信号間隔時間T13(t3に相当)のデータに基づいて仮想カウント信号VCSを出力する。
【００２３】
次にリーダーライター126を説明する。
リーダーライター126は、記憶媒体を内蔵したカード形のICカード128又はコイン形のICコイン130にゲームによって獲得したメダル数等を有線又は無線によって書込及び読込する機能を有する。
【００２４】
次にゲーム機支援装置122を説明する。
ゲーム機支援装置122は、メダル払出装置104の払出センサ120から出力されるカウント信号CSの初回タイムラグ時間T1(t1に相当)、信号幅時間T2(t2に相当)及び信号間隔時間T3(t3に相当)のデータを取得する機能、それら取得したデータから仮想初回タイムラグ時間T11、仮想信号幅時間T12及び仮想信号間隔時間T13を設定する機能及び設定した仮想初回タイムラグ時間T11、仮想信号幅時間T12及び仮想信号間隔時間T13を仮想カウント信号記憶装置132に記憶し、仮想カウント信号出力装置134から出力する機能を有する。
ゲーム機支援装置122は、仮想払出信号記憶装置132、仮想カウント信号出力装置134、擬似払出指令信号出力装置136、払出データ取得装置142、仮想カウント信号設定装置144を含んでいる。
【００２５】
まず擬似払出指令信号出力装置136を説明する。
擬似払出指令信号出力装置136は、メダルゲーム機100のゲーム機制御装置102に代わってメダル払出装置104に払出指令信号DCSに代わる擬似払出指令信号FDSを出力する機能を有する。
擬似払出指令信号出力装置136は、払出データ取得ボタン152及び擬似払出信号出力装置154を含んでいる。
【００２６】
まず、払出データ取得ボタン152を説明する。
払出データ取得ボタン152は、擬似払出信号出力装置154に擬似払出指令信号FDSの出力指令を与える機能を有する。
払出データ取得ボタン152は、例えばボタンスイッチである。
【００２７】
次に擬似払出信号出力装置154を説明する。
擬似払出信号出力装置154は、払出データ取得ボタン152が押された場合、所定数の擬似払出指令信号FDSを払出制御装置108に出力する機能を有する。
擬似払出信号出力装置154は電気的回路又はマイクロコンピュータによって構成され、一回に払い出すメダル数を出力し、かつ、これを所定回繰り返す。
例えば一回の払い出す数が16であり、所定回数、例えば10回繰り返す。
払出制御装置108は、擬似払出信号出力装置154から擬似払出指令信号FDSを受けた場合、前述のようにメダルMを指示に従って所定数払い出す。
【００２８】
次に払出データ取得装置142を説明する。
払出データ取得装置142は、擬似払出信号出力装置154からの擬似払出指令信号FDS及び払出センサ120から出力されるカウント信号CSに基づいて、カウント信号CSの初回タイムラグ時間T1、当該カウント信号CSの信号幅時間T2及び当該カウント信号CS間の間隔時間T3を取得する機能を有する。
具体的には、擬似払出指令信号FDSが発信されてから初回のカウント信号CSが発信されるまでの時間T１を計測し、記憶する初回タイムラグ装置156、カウント信号CSの時間幅を計測し、記憶する信号幅時間装置158、カウント信号CS間の時間幅を計測する信号間隔時間装置162を含んでいる。
【００２９】
初回タイムラグ装置156は、初回タイムラグ計測装置164、及び計測した初回タイムラグ時間T1を記憶する初回タイムラグ記憶装置166を含んでいる。
【００３０】
信号幅時間装置158は、カウント信号CSの信号幅時間T2を計測する信号幅時間計測装置168、及び計測した信号幅時間T2を記憶する信号幅時間記憶装置172を含んでいる。
【００３１】
信号間隔時間装置162は、カウント信号CS間の間隔時間T3を計測する信号間隔時間計測装置174及び計測した時間幅T3を記憶する信号間隔時間記憶装置176を含んでいる。
【００３２】
次に仮想カウント信号設定装置144を説明する。
仮想カウント信号設定装置144は、初回タイムラグ記憶装置166、信号幅時間記憶装置172及び信号間隔時間記憶装置176に記憶されたデータに基づいて仮想カウント信号VCSの初回タイムラグ時間T11、信号幅時間T12及び信号間隔時間T13を設定する機能を有する。
仮想カウント信号設定装置144は、仮想カウント信号演算装置146及び仮想カウント信号記憶装置132を含んでいる。
【００３３】
まず仮想カウント信号演算装置146が説明される。
仮想カウント信号演算装置146は、初回タイムラグ記憶装置166、信号幅時間記憶装置172及び間隔時間記憶装置176に記憶されたデータに基づいて仮想タイムラグ時間T11、仮想信号幅時間T12及び仮想信号間隔時間T13を演算する機能を有する。
仮想カウント信号演算装置146は、初回タイムラグ平均演算装置186、信号幅時間平均演算装置192及び信号間隔時間平均演算装置196を含んでいる。
仮想カウント信号記憶装置132は、仮想初回タイムラグ記憶装置188、仮想信号幅時間記憶装置194及び仮想信号間隔時間記憶装置198を含んでいる。
【００３４】
初回タイムラグ平均演算装置186は仮想初回タイムラグ記憶装置188と共に仮想初回タイムラグ装置178を構成する。
信号幅時間平均演算装置192は仮想信号幅時間記憶装置194と共に仮想信号幅時間装置182を構成する。
信号間隔時間平均演算装置196は仮想信号間隔時間記憶装置198と共に仮想信号間隔時間装置184を構成する。
【００３５】
まず仮想初回タイムラグ装置178を説明する。
仮想初回タイムラグ装置178は、初回タイムラグ記憶装置166に記憶されたデータに基づいて初回タイムラグT1の平均値を演算、記憶する機能を有する。
仮想初回タイムラグ装置178は、初回タイムラグ記憶装置166に記憶されたデータに基づいて初回タイムラグT1の平均値を演算する初回タイムラグ平均演算装置186及び演算された初回タイムラグT1の平均を記憶する仮想初回タイムラグ記憶装置188を含んでいる。
【００３６】
次に仮想信号幅時間装置182を説明する。
仮想信号幅時間装置182は、信号幅時間記憶装置172に記憶されたデータに基づいてカウント信号CSの時間幅T2の平均値を演算し、記憶する機能を有する。
仮想信号幅時間装置182は、信号幅時間記憶装置172に記憶されたデータに基づいてカウント信号幅時間T2の平均値を演算する信号幅平均演算装置192及び演算された仮想カウント信号幅時間T2の平均を記憶する仮想信号幅時間記憶装置194を含んでいる。
【００３７】
次に仮想信号間隔時間装置184を説明する。
仮想信号間隔時間装置184は、信号間隔時間記憶装置176に記憶されたデータに基づいてカウント信号CS間の時間T3の平均値を演算、記憶する機能を有する。
仮想信号間隔時間装置184は、信号間隔時間記憶装置176に記憶されたデータに基づいてカウント信号CS間の時間T3の平均値を演算する信号間隔時間平均演算装置196及び演算された信号間隔時間T3の平均を記憶する仮想信号間隔時間記憶装置198を含んでいる。
【００３８】
次に仮想カウント信号記憶装置132を説明する。
仮想カウント信号記憶装置132は、ゲーム機支援装置122において作成した仮想カウント信号VCSのデータを記憶する機能を有する。
すなわち、仮想タイムラグ時間T11、仮想カウント信号VCSの仮想信号幅時間T12、仮想カウント信号VCSの間の仮想信号間隔時間T13を記憶する。
【００３９】
次に仮想カウント信号出力装置134を説明する。
仮想カウント信号出力装置134は、ゲーム機制御装置102からの払出指令信号DCSに基づいて、仮想初回タイムラグ記憶装置188、仮想信号幅時間記憶装置194及び仮想信号間隔時間記憶装置198に記憶されたデータに基づいて仮想カウント信号VCSを出力する機能を有する。
仮想カウント信号出力装置134は、仮想払出信号記憶装置132に記憶された仮想タイムラグ時間T11、仮想信号幅時間T12及び信号間隔時間T13に基づいて仮想カウント信号VCSを出力する。
仮想カウント信号出力装置134は、電気回路またはマイクロコンピュータによって上記機能を満足するように構成される。
【００４０】
次に本実施例の作用を図4〜10のフローチャートも参照して説明する。
なお、一回当たりのメダル払出数は16に設定され、払出指令信号PCSの回数は10に設定されているものとする。
しかし、メダル払出数及び払出指令信号の回数は任意に設定できるが、払出指令信号の回数は複数回であることが好ましい。
【００４１】
初めにメダル払出装置104のカウント信号CSに関するデータを取得するケースを説明する。
この場合、メダル払出装置104はメダルゲーム機100に装着されている。
まずゲーム機支援装置122をゲーム機制御装置102と払出制御装置108に接続する。
これにより、ゲーム機支援装置122から払出制御装置108へ擬似払出指令信号FDSを出力にすると共に、ゲーム機支援装置122において払出センサ120からカウント信号CSが受信可能になる。
【００４２】
まず擬似払出指令信号出力装置136における作用を説明する。
図4におけるステップS1において、払出データ取得ボタン152が押されたか判別し、押されない場合ステップS1をループする。
払出データ取得ボタン152が押されたこと判別した場合、ステップS2に進む。
【００４３】
ステップS2において擬似払出指令信号FDSを出力してステップS3へ進む。
【００４４】
ステップS3において、払出終了信号EDSが存在するか判別する。
なお、後述のように払出終了信号EDSは払出データ取得装置142においてカウント信号が所定数になったことを判別した場合出力される。
払出終了信号EDSが存在しない場合、ステップS3をループし、払出終了信号EDSが存在する場合、ステップS4へ進む。
【００４５】
ステップS4において、払出終了信号EDSの出力回数を累積し、ステップS5へ進む。
【００４６】
ステップS5において、所定回以下であること、例えば10回以下の場合、ステップS2へ戻り、10回超えの場合処理を終了する。
【００４７】
次に、払出データ取得装置142における作用が図5を参照して説明される。
初回タイムラグ計測装置164においては、ステップS11において擬似払出指令信号FDSを判別しない場合ステップS11をループし、擬似払出指令信号FDSを判別した場合ステップS12へ進む。
【００４８】
ステップS12において、計時を開始し、ステップS13へ進む。
【００４９】
ステップS13において、払出センサ120から最初のカウント信号CSが出力されたか判別し。出力されない場合ステップS13をループする。
ステップS13において、最初のカウント信号CSを判別した場合、ステップS14へ進む。
【００５０】
ステップS14において、計時を終了し、ステップS15へ進む。
【００５１】
ステップS15において、計時開始から計時終了までの初回タイムラグ時間T1を演算し、ステップS16へ進む。
【００５２】
ステップS16において、初回タイムラグ計時時間T1を初回タイムラグ記憶装置166に記憶し、処理を終了する。
【００５３】
次に信号幅時間装置158における作用を図6を参照して説明する。
信号幅時間計測装置168においては、ステップS21においてカウント信号CSの立ち上がり信号を判別しない場合ステップS21をループし、立ち上がり信号を判別した場合、ステップS22へ進む。
【００５４】
ステップS22において、計時を開始し、ステップS23へ進む。
【００５５】
ステップS23において、カウント信号CSの立ち下がりを判別しない場合ステップS23をループし、立ち下がりを判別した場合ステップS24に進む。
【００５６】
ステップS24において、計時を終了し、ステップS25へ進む。
【００５７】
ステップS25において、計時開始から計時終了までの信号幅時間T2を演算し、ステップS26へ進む。
【００５８】
ステップS26において、信号幅時間T2が信号幅時間記憶装置172に記憶され、処理を終了する。
【００５９】
次に、信号間隔時間装置162における作用が図7を参照して説明される。
信号間隔時間計測装置174においては、ステップS31においてカウント信号CSの立ち下がりを判別しない場合ステップS31をループし、立ち下がりを判別した場合ステップS32へ進む。
【００６０】
ステップS32において、計時を開始し、ステップS33へ進む。
【００６１】
ステップS33において、払出センサ120からのカウント信号CSの立ち上がりを判別し。立ち上がりでない場合ステップS33をループし、立ち上がりを判別した場合、ステップS34へ進み、計時を終了した後、ステップS35に進む。
【００６２】
ステップS35において、計時開始から計時終了までの時間T3を演算し、ステップS36、S37へ進む。
【００６３】
ステップS37において、信号間隔時間T3は信号間隔時間記憶装置176に記憶され処理を終了する。
【００６４】
信号幅時間装置158及び信号間隔時間装置162においては、擬似払出指令出力装置136から出力される16個のカウント信号CSの出力毎にそれぞれ信号幅時間T2又は信号間隔時間T3を演算し、各記憶装置172、176に記憶する。
【００６５】
次に払出データ取得装置142の作用が図8を参照して説明される。
払出データ取得装置142においては、ステップS41において擬似払出指令信号FDSを判別するが、判別できない場合ステップS41をループする。
擬似払出指令信号FDSを判別した場合、ステップS42へ進む。
【００６６】
ステップS42において、カウント信号CSが出力されたか判別し、出力されない場合ステップS42をループし、出力された場合ステップS43へ進む。
【００６７】
ステップS43において、カウント信号CSを累積した後、ステップS44へ進む。
本例では、最初であるので「１」がカウントされる。
【００６８】
ステップS44において、所定数のカウント数、本実施例では16であるか判別し、16でない場合、ステップS42へ戻る。
ステップS44において16である場合、ステップS45へ進む。
【００６９】
ステップS45において、払出終了信号EDSを出力し、処理を終了する。
【００７０】
信号幅時間装置158及び信号間隔時間装置162においては、払出終了信号EDSを判別した場合、それぞれステップS27又はステップS37において次に進み、処理を終了する。
払出終了信号EDSが存在しない場合、それぞれステップS21又はS31へ戻る。
【００７１】
図4に示す払出データ取得装置142におけるステップS3において、払出終了信号EDSを判別するのでステップS4へ進み、払出終了信号EDSを累積し、ステップS5へ進む。
【００７２】
ステップS5において、払出終了信号EDSの累積値が10以下であるか判別され、10回以下である場合ステップS2へ戻り、前述の動作を繰り返し、10回超えの場合処理を終了する。
【００７３】
これにより、初回タイムラグ記憶装置166には16の初回タイムラグ時間T1が10個記憶される。
信号幅時間記憶装置172には10×16である160個の信号幅時間T2が記憶される。
さらに信号間隔時間記憶装置176には10×16の160個の信号間隔時間T3が記憶される。
【００７４】
次に仮想カウント信号演算装置146の作用が説明される。
仮想カウント信号演算装置146は、払出データ取得装置142の処理が全て終了した後、自動的に仮想初回タイムラグ時間T11、仮想信号幅時間T12及び仮想信号間隔時間T13を演算する。
【００７５】
具体的には、仮想初回タイムラグ装置178を構成する初回タイムラグ平均演算装置186は、初回タイムラグ記憶装置166に記憶された10の初回タイムラグ時間T1の平均を演算し、その演算結果を仮想初回タイムラグ記憶装置188に記憶する。
【００７６】
次に仮想信号幅時間装置182を構成する信号幅時間平均演算装置192は、信号幅時間記憶装置172に記憶されている160の信号幅時間T2の平均を演算し、その演算結果を仮想信号幅時間記憶装置194に記憶する。
【００７７】
次に仮想信号間隔時間装置176を構成する信号間隔時間平均演算装置196は、信号間隔時間記憶装置176に記憶されている160のデータに基づいて信号間隔時間T3の平均を演算し、仮想信号間隔時間記憶装置198に記憶する。
換言すれば、仮想カウント信号記憶装置132に仮想初回タイムラグ時間T11、仮想信号幅時間T12及び仮想信号間隔時間T13が記憶されている。
【００７８】
次に仮想カウント信号出力装置134の作用が図9を参照して説明される。
メダルゲーム機100の切替スイッチ124をゲーム機支援装置122に切り替える。
仮想カウント信号出力装置134におけるステップS51において、ゲーム機制御装置102からメダルMの払出指令信号DCSの有無を判別し、払出指令信号DCSが判別されない場合ステップS51をループし、払出指令信号DCSが片別された場合ステップS52へ進む。
【００７９】
ステップS52及びS52Aにおいて、払出指令信号DCSの出力から仮想初回タイムラグ時間記憶装置188に記憶された仮想初回タイムラグ時間T11後に、仮想信号幅時間記憶装置194に記憶された仮想信号幅時間T12の仮想カウント信号VCSを出力し、ステップS53へ進む。
【００８０】
ステップS53において、仮想信号間隔時間記憶装置198に記憶されている仮想信号間隔時間T13の計時を開始し、仮想信号間隔時間T13でない場合ステップS55をループし、T13を計時した場合ステップS54へ進む。
【００８１】
ステップS54において仮想カウント信号VCSの出力を終了し、ステップS55へ進む。
【００８２】
ステップS55において、仮想カウント信号VCSの出力回数を累積し、ステップS56へ進む。
【００８３】
ステップS56において、払出指定数、すなわち16と一致するか判別し、一致しない場合ステップS52へ戻り、前述のように仮想カウント信号VCSを出力する。
ステップS56において16と一致する場合、処理を終了する。
【００８４】
メダルゲーム機100のゲーム機制御装置102は、仮想カウント信号VCSに基づいてメダルゲーム機100に組み込まれている異常検出プログラムが異常をチェックする。
メダル払出装置104からの実際のメダル払出によるカウント信号CSに基づいて仮想初回タイムラグ時間T11、仮想信号幅時間T12及び信号間隔時間T13を出力するので何ら問題なく当該チェックプログラムは作動し、異常信号を出力することなく動作する。
【００８５】
ゲーム機制御装置102は、仮想カウント信号VCSの出力数をリードライター126によってICカード128又はICコイン130の記憶装置に記憶することができる。
【図面の簡単な説明】
【００８６】
【図１】図１は、本発明の実施例のメダルゲーム機の概要図である。
【図２】図２は、本発明の実施例のメダルゲーム機の概要構成図である。
【図３】図３は、本発明の実施例のメダルゲーム機の概要ブロック図である。
【図４】図４は、本発明の実施例のメダルゲーム機の作用説明用フローチャートである。
【図５】図５は、本発明の実施例のメダルゲーム機の作用説明用フローチャート及び作用説明図である。
【図６】図６は、本発明の実施例のメダルゲーム機の作用説明用フローチャート及び作用説明図である。
【図７】図７は、本発明の実施例のメダルゲーム機の作用説明用フローチャート及び作用説明図である。
【図８】図８は、本発明の実施例のメダルゲーム機の作用説明用フローチャートである。
【図９】図９は、本発明の実施例のメダルゲーム機の作用説明用フローチャートである。
【図１０】図10は、従来のメダルゲーム機の概要図である。
【図１１】図11は、従来のメダルゲーム機のメダル払出装置の概要図である。
【図１２】図12は、従来のメダルゲーム機のカウント信号等の説明図である。
【符号の説明】
【００８７】
102 ゲーム機制御装置
104 メダル払出装置
120 払出センサ
122 支援装置
134 仮想カウント信号出力装置
154 擬似払出信号出力装置
164 初回タイムラグ計測装置
168 信号幅時間計測装置
174 信号間隔時間計測装置
CS  カウント信号
DCS 払出指令信号
FDS 擬似払出指令信号
T1 初回タイムラグ時間
T2 信号幅時間
T3 信号間隔時間
VCS 仮想カウント信号
【図１】
0005527582.tif 000002
【図２】
0005527582.tif 000003
【図３】
0005527582.tif 000004
【図４】
0005527582.tif 000005
【図５】
0005527582.tif 000006
【図６】
0005527582.tif 000007
【図７】
0005527582.tif 000008
【図８】
0005527582.tif 000009
【図９】
0005527582.tif 000010
【図１０】
0005527582.tif 000011
【図１１】
0005527582.tif 000012
【図１２】
0005527582.tif 000013